(57)【要約】【課題】正確なチャンネルリストを効率的に作成する。【解決手段】制御部１１０は、複数の基地局から受信した、テレビ放送受信機能で受信可能なテレビ放送のチャンネル情報をチャンネル情報格納領域１７２から取得する。制御部１１０は、基地局情報格納領域１７１に格納されている基地局履歴に基づいて、移動体通信端末１００の移動速度を判別する。また、制御部１１０は、放送エリア情報格納領域１７５に格納されている放送エリア情報と移動体通信端末１００の現在位置とに基づいて、放送エリアに対する移動体通信端末１００の位置を判別する。移動速度が所定の速度を超えていると判別された場合、もしくは、移動体通信端末１００の位置が放送エリアの外縁部付近に位置していると判別された場合、制御部１１０は、複数の基地局から取得したチャンネル情報に重複するチャンネルに基づいてチャンネルリストを作成する【選択図】図８
2007221476.tif 000002
【特許請求の範囲】
【請求項１】
テレビ放送受信手段を有する移動体通信端末であって、
前記テレビ放送受信手段で受信可能なテレビ放送チャンネルを示すチャンネル情報を複数の基地局から取得するチャンネル情報取得手段と、
前記移動体通信端末の移動速度が所定の速度を越えているかを判別する移動速度判別手段と、
前記移動速度判別手段により移動速度が所定の速度を超えていると判別された場合、前記複数の基地局から取得したチャンネル情報のいずれにも重複して示されるチャンネルに基づいて、前記テレビ放送受信手段で視聴可能なテレビ放送のチャンネルリストを作成するチャンネルリスト作成手段と、
を備えることを特徴とする移動体通信端末。
【請求項２】
前記チャンネルリスト作成手段は、前記移動速度判別手段により移動速度が所定の速度を超えていないと判別された場合、前記複数の基地局から取得したチャンネル情報に含まれるすべてのチャンネルに基づいて前記チャンネルリストを作成する、
ことを特徴とする請求項１に記載の移動体通信端末。
【請求項３】
前記移動速度判別手段は、前記移動通信端末の移動にともなうハンドオフによる基地局の切替頻度に基づいて、前記移動速度が所定の速度を超えているかを判別する、
ことを特徴とする請求項１または２に記載に移動体通信端末。
【請求項４】
テレビ放送受信手段を有する移動体通信端末であって、
前記テレビ放送受信手段で受信可能なテレビ放送の放送エリアを示す放送エリア情報を取得する放送エリア情報取得手段と、
前記テレビ放送受信手段で受信可能なテレビ放送チャンネルを示すチャンネル情報を複数の基地局から取得するチャンネル情報取得手段と、
前記複数の基地局から位置情報を取得する位置情報取得手段と、
前記放送エリア情報取得手段が取得した放送エリア情報と、前記位置情報取得手段が取得した位置情報とに基づいて、前記移動体通信端末の放送エリアに対する位置を判別する位置判別手段と、
前記位置判別手段により、前記移動体通信端末が放送エリアの外縁部付近に位置していると判別された場合、前記複数の基地局から取得したチャンネル情報のいずれにも重複して示されるチャンネルに基づいて、前記テレビ放送受信手段で視聴可能なテレビ放送のチャンネルリストを作成するチャンネルリスト作成手段と、
を備えることを特徴とする移動体通信端末。
【請求項５】
前記チャンネルリスト作成手段は、前記位置判別手段により、前記移動体通信端末が放送エリアの外縁部付近に位置していないと判別された場合、前記複数の基地局から取得したチャンネル情報に含まれるすべてのチャンネルに基づいて前記チャンネルリストを作成する、
ことを特徴とする請求項４に記載の移動体通信端末。
【請求項６】
テレビ放送受信手段を有する移動体通信端末を制御するコンピュータに、
前記テレビ放送受信手段で受信可能なテレビ放送チャンネルを示すチャンネル情報を複数の基地局から取得するチャンネル情報取得機能と、
前記移動体通信端末の移動速度が所定の速度を超えているかを判別する移動速度判別機能と、
前記移動速度判別機能により移動速度が所定の高速を超えていると判別された場合、前記複数の基地局から取得したチャンネル情報のいずれにも重複して示されるチャンネルに基づいて、前記テレビ放送受信手段で視聴可能なテレビ放送のチャンネルリストを作成するチャンネルリスト作成機能と、
を実現させることを特徴とするプログラム。
【請求項７】
テレビ放送受信手段を有する移動体通信端末を制御するコンピュータに、
前記テレビ放送受信手段で受信可能なテレビ放送の放送エリアを示す放送エリア情報を取得する放送エリア情報取得機能と、
前記テレビ放送受信手段で受信可能なテレビ放送チャンネルを示すチャンネル情報を複数の基地局から取得するチャンネル情報取得機能と、
前記複数の基地局から位置情報を取得する位置情報取得機能と、
前記放送エリア情報取得機能が取得した放送エリア情報と、前記位置情報取得機能が取得した位置情報とに基づいて、前記移動体通信端末の放送エリアに対する位置を判別する位置判別機能と、
前記位置判別機能により、前記移動体通信端末が放送エリアの外縁部付近に位置していると判別された場合、前記複数の基地局から取得したチャンネル情報のいずれにも重複して示されるチャンネルに基づいて、前記テレビ放送受信手段で視聴可能なテレビ放送のチャンネルリストを作成するチャンネルリスト作成機能と、
を実現させることを特徴とするプログラム。
【発明の詳細な説明】
【技術分野】
【０００１】
本発明は、移動体通信端末、および、プログラムに関し、特に、移動体通信端末によるテレビ放送受信に好適な移動体通信端末、および、プログラムに関する。
【背景技術】
【０００２】
携帯電話などの移動体通信端末では、基本機能である音声通話以外の種々の付加機能が備えられており、近時では、テレビ放送を受信して視聴できるテレビ放送受信機能を備えた移動体通信端末が実現されている。特に最近では、地上デジタル放送に対応した移動体通信端末が実用化されており、いわゆる１セグメント放送の実施などによって、移動体通信端末であっても高品質なテレビ放送受信が可能となっている。
【０００３】
ここで、テレビ放送の放送エリアは地域毎に規定されているので、地域毎に受信可能チャンネルが異なる。据え置き型のテレビ受像機の場合、設置した場所に対応するチャンネル設定をおこなえばよいが、携行される移動体通信端末は位置が固定されないので、受信可能なチャンネルが随時変化する場合がある。よって、テレビ放送受信機能を有する移動体通信端末では、基地局と通信する際に、当該基地局が存在する地域での放送チャンネル情報を基地局から取得して、移動体通信端末の現在位置において受信可能なチャンネルリストを作成している（例えば、特許文献１）。
【特許文献１】特開２００４−３１２１６４号公報
【発明の開示】
【発明が解決しようとする課題】
【０００４】
しかしながら、例えば、交通手段を利用した高速移動時などにテレビ放送を受信する場合、移動に伴って変化する周囲の地形や建物の影響などによって、テレビ放送の受信電力が著しく変化する場合がある。また、移動体通信端末の位置が放送エリアの周辺部付近であるか中央部付近であるかによって、安定的に受信できるチャンネル数やチャンネルが異なる場合がある。特に、放送エリアの周辺部付近では受信電力が低い傾向があり、移動体通信端末の位置によって受信可能なチャンネルが異なってくる場合がある。
【０００５】
このように、移動体通信端末の移動や位置によってチャンネル毎の受信電力が変化すると、その時々のチャンネルサーチ結果が異なってしまうことがあり、正確なチャンネルリストを作成することができない。特許文献１などの従来技術においては、移動体通信端末の移動や位置を考慮していないため、高速移動時や放送エリアの周辺部付近に位置する場合には、正確なチャンネルリストを作成できなかった。
【０００６】
本発明は、上記実状に鑑みてなされたものであり、正確なチャンネルリストを作成することができる移動体通信端末等を提供することを目的とする。
【課題を解決するための手段】
【０００７】
上記目的を達成するため、本発明の第１の観点にかかる移動体通信端末は、
テレビ放送受信手段を有する移動体通信端末であって、
前記テレビ放送受信手段で受信可能なテレビ放送チャンネルを示すチャンネル情報を複数の基地局から取得するチャンネル情報取得手段と、
前記移動体通信端末の移動速度が所定の速度を超えているかを判別する移動速度判別手段と、
前記移動速度判別手段により移動速度が所定の速度を超えていると判別された場合、前記複数の基地局から取得したチャンネル情報のいずれにも重複して示されるチャンネルに基づいて、前記テレビ放送受信手段で視聴可能なテレビ放送のチャンネルリストを作成するチャンネルリスト作成手段と、
を備えることを特徴とする。
【０００８】
このような構成によれば、移動体通信端末が高速で移動している場合、複数の基地局から得られるチャンネル情報に重複しているチャンネルに基づいてチャンネルリストを作成するので、受信電力が低下しやすい高速移動時でも受信可能性の高いチャンネルから構成された正確なチャンネルリストを効率的に作成することができる。
【０００９】
上記移動体通信端末において、
前記チャンネルリスト作成手段は、前記移動速度判別手段により移動速度が所定の速度を超えていないと判別された場合、前記複数の基地局から取得したチャンネル情報に含まれるすべてのチャンネルに基づいて前記チャンネルリストを作成することが望ましい。
【００１０】
このような構成によれば、移動体通信端末が低速移動（移動していない場合を含む）している場合は、複数の基地局から得られるチャンネル情報が示すすべてのチャンネルに基づいてチャンネルリストを作成するので、受信可能性のあるすべてのチャンネルから構成された正確なチャンネルリストを効率的に作成することができる。
【００１１】
上記移動体通信端末において、
前記移動速度判別手段は、前記移動通信端末の移動にともなうハンドオフによる基地局の切替頻度に基づいて、前記移動速度が所定の速度を超えているかを判別することが望ましい。
【００１２】
このような構成によれば、移動体通信端末が通常おこなう基地局の切り替えに基づいて、移動速度を判別することができる。
【００１３】
上記目的を達成するため、本発明の第２の観点にかかる移動体通信端末は、
テレビ放送受信手段を有する移動体通信端末であって、
前記テレビ放送受信手段で受信可能なテレビ放送の放送エリアを示す放送エリア情報を取得する放送エリア情報取得手段と、
前記テレビ放送受信手段で受信可能なテレビ放送チャンネルを示すチャンネル情報を複数の基地局から取得するチャンネル情報取得手段と、
前記複数の基地局から位置情報を取得する位置情報取得手段と、
前記放送エリア情報取得手段が取得した放送エリア情報と、前記位置情報取得手段が取得した位置情報とに基づいて、前記移動体通信端末の放送エリアに対する位置を判別する位置判別手段と、
前記位置判別手段により、前記移動体通信端末が放送エリアの外縁部付近に位置していると判別された場合、前記複数の基地局から取得したチャンネル情報のいずれにも重複して示されるチャンネルに基づいて、前記テレビ放送受信手段で視聴可能なテレビ放送のチャンネルリストを作成するチャンネルリスト作成手段と、
を備えることを特徴とする。
【００１４】
このような構成によれば、移動体通信端末が放送エリアの外縁部付近に位置している場合、複数の基地局から得られるチャンネル情報に重複しているチャンネルに基づいてチャンネルリストを作成するので、受信電力が低下しやすい放送エリアの外縁部付近であっても受信可能性の高いチャンネルから構成された正確なチャンネルリストを効率的に作成することができる。
【００１５】
上記移動体通信端末において、
前記チャンネルリスト作成手段は、前記位置判別手段により、前記移動体通信端末が放送エリアの外縁部付近に位置していないと判別された場合、前記複数の基地局から取得したチャンネル情報に含まれるすべてのチャンネルに基づいて前記チャンネルリストを作成することが望ましい。
【００１６】
このような構成によれば、安定的に受信できる放送エリアの外縁部付近以外の場所に位置している場合は、複数の基地局から得られるチャンネル情報が示すすべてのチャンネルに基づいてチャンネルリストを作成するので、受信可能性のあるすべてのチャンネルから構成された正確なチャンネルリストを効率的に作成することができる。
【００１７】
上記目的を達成するため、本発明の第３の観点にかかるプログラムは、
テレビ放送受信手段を有する移動体通信端末を制御するコンピュータに、
前記テレビ放送受信手段で受信可能なテレビ放送チャンネルを示すチャンネル情報を複数の基地局から取得するチャンネル情報取得機能と、
前記移動体通信端末の移動速度が所定の速度を超えているかを判別する移動速度判別機能と、
前記移動速度判別機能により移動速度が所定の高速を超えていると判別された場合、前記複数の基地局から取得したチャンネル情報のいずれにも重複して示されるチャンネルに基づいて、前記テレビ放送受信手段で視聴可能なテレビ放送のチャンネルリストを作成するチャンネルリスト作成機能と、
を実現させることを特徴とする。
【００１８】
このようなプログラムを適用することで、例えば、既存の移動体通信端末などを本発明にかかる移動体通信端末として機能させることができる。
【００１９】
上記目的を達成するため、本発明の第４の観点にかかるプログラムは、
テレビ放送受信手段を有する移動体通信端末を制御するコンピュータに、
前記テレビ放送受信手段で受信可能なテレビ放送の放送エリアを示す放送エリア情報を取得する放送エリア情報取得機能と、
前記テレビ放送受信手段で受信可能なテレビ放送チャンネルを示すチャンネル情報を複数の基地局から取得するチャンネル情報取得機能と、
前記複数の基地局から位置情報を取得する位置情報取得機能と、
前記放送エリア情報取得機能が取得した放送エリア情報と、前記位置情報取得機能が取得した位置情報とに基づいて、前記移動体通信端末の放送エリアに対する位置を判別する位置判別機能と、
前記位置判別機能により、前記移動体通信端末が放送エリアの外縁部付近に位置していると判別された場合、前記複数の基地局から取得したチャンネル情報のいずれにも重複して示されるチャンネルに基づいて、前記テレビ放送受信手段で視聴可能なテレビ放送のチャンネルリストを作成するチャンネルリスト作成機能と、
を実現させることを特徴とする。
【００２０】
このようなプログラムを適用することで、例えば、既存の移動体通信端末などを本発明にかかる移動体通信端末として機能させることができる。
【発明の効果】
【００２１】
本発明によれば、移動体通信端末の移動速度や放送エリアに対する位置に基づいてチャンネルリストの作成を最適化するので、正確なチャンネルリストを効率的に作成することができる。
【発明を実施するための最良の形態】
【００２２】
（実施形態１）
以下、図面を参照して本発明にかかる実施形態を説明する。まず、本発明の実施形態１にかかる移動体通信端末について説明する。本実施形態にかかる移動体通信端末１００は、例えば、携帯電話やＰＨＳ（Personal Handyphone System）などといった移動体通信用の端末装置（電話機）である。本実施形態にかかる移動体通信端末１００は、基本機能である音声通話機能の他に、例えば、移動体通信端末向けの地上デジタルテレビ放送である１セグメント放送を受信して視聴可能とするテレビ放送受信機能を備えているものとする。以下、本実施形態において「テレビ放送」とは、地上デジタルテレビ放送の１セグメント放送を指すものとする。
【００２３】
このような移動体通信端末１００の構成を、図１を参照して説明する。図１は移動体通信端末１００の構成を示すブロック図である。図示するように、移動体通信端末１００は、制御部１１０、無線通信部１２０、アンテナ１２１、操作部１３０、表示部１４０、音声処理部１５０、テレビ放送受信部１６０、アンテナ１６１、記憶部１７０、などから構成される。
【００２４】
制御部１１０は、例えば、ＣＰＵ（Central Processing Unit：中央演算処理装置）やワークエリアとなるＲＡＭ（Random Access Memory）などから構成され、所定の動作プログラムを実行することで移動体通信端末１００の各部を制御する。すなわち、移動体通信端末１００の各構成は制御部１１０によって制御されるとともに、各構成間の情報伝達などは制御部１１０を介しておこなわれる。
【００２５】
無線通信部１２０は、例えば、移動体通信用の無線通信デバイスなどから構成され、基地局と無線通信するためのアンテナ１２１による電波送受信を制御することで、基地局との無線通信により音声通話やデータ通信をおこなう。また、本実施形態では、各基地局が送信するテレビ放送のチャンネル情報を無線通信部１２０が受信する。
【００２６】
操作部１３０は、移動体通信端末１００の外面上に構成されたボタンやキーなどから構成され、移動体通信端末１００のユーザによって操作される。操作部１３０は、各ボタンやキーなどと接続された入力回路などを備え、ユーザの操作に応じた入力信号を生成して制御部１１０に入力する。
【００２７】
表示部１４０は、例えば、液晶表示装置などから構成された表示出力装置であり、制御部１１０の制御によって種々の画面を表示出力する。また、本実施形態では、テレビ放送受信部１６０によって受信されるテレビ放送の映像信号が表示部１４０に入力されるものとし、この場合、表示部１４０によってテレビ放送の映像が表示出力される。
【００２８】
音声処理部１５０は、例えば、音声入出力用のマイクロフォンやスピーカ、および、コーデック回路などから構成され、移動体通信端末１００の通話機能などにかかる音声の処理をおこなう。本実施形態では、マイクロフォン１５１から入力されたユーザの発話音声をデジタル音声データに変換して無線通信部１２０に送出する送話動作や、無線通信部１２０で受信したデジタル音声データをアナログ音声信号に変換してスピーカ１５２から出力する受話動作などをおこなう。また、本実施形態では、テレビ放送受信部１６０によって受信されるテレビ放送の音声信号が音声処理部１５０に入力されるものとし、この場合、音声処理部１５０によってテレビ放送の音声がスピーカ１５２から出力される。
【００２９】
テレビ放送受信部１６０は、例えば、地上デジタル放送用の受信装置などから構成され、１セグメント放送によって送信された放送電波を受信する。テレビ放送受信部１６０は、所定のチューナ回路や復調回路などを含んでおり、１セグメント放送受信用のアンテナ１６１によって受信される放送電波の復号処理などをおこなうことで、テレビ放送受信機能が実現される。
【００３０】
記憶部１７０は、例えば、フラッシュメモリなどの記憶装置から構成され、制御部１１０が実行する動作プログラムを格納する他、本発明を実現するために必要な種々のデータを格納する。本実施形態では、図１に示すように、基地局情報格納領域１７１、チャンネル情報格納領域１７２、チャンネルリスト格納領域１７３、プログラム格納領域１７４、などの記憶領域が構成される。
【００３１】
基地局情報格納領域１７１は、無線通信部１２０が通信する基地局の切替履歴を示す情報を格納する。基地局情報格納領域１７１に格納される情報の例を図２（ａ）に示す。図示するように、基地局情報格納領域１７１には、切り替えた基地局を示す基地局ＩＤをキーとしたレコードが作成されており、各レコードには、当該基地局の位置を示す位置情報、切り替えた日時を示す日時情報（「切替日時」）、などが記録される。すなわち、移動体通信端末１００が移動した際に、最も通信状態のよい基地局（着信を待ち受ける基地局を含む）に切り替える、いわゆるハンドオフ（ハンドオーバー）により切り替えられた基地局の履歴が基地局情報格納領域１７１に記録される。以下、基地局情報格納領域１７１に格納されている情報を「基地局履歴情報」とする。
【００３２】
チャンネル情報格納領域１７２は、基地局から受信したテレビ放送のチャンネル情報を格納する。チャンネル情報格納領域１７２に格納される情報の例を図２（ｂ）に示す。図示するように、チャンネル情報格納領域１７２には、受信した基地局を示す基地局ＩＤをキーとしたレコードが作成されており、各レコードには、受信日時を示す日時情報（「受信日時」）、受信したチャンネル情報、などが記録される。このチャンネル情報は、各基地局が予め保持している情報であり、当該基地局が存在する場所が放送エリアとなっているチャンネルについてのチャンネル番号や周波数などを示す情報が示されている。
【００３３】
チャンネルリスト格納領域１７３は、チャンネル情報格納領域１７２に格納されたチャンネル情報に基づいて作成されたチャンネルリストを格納する。このチャンネルリストは、その時点で移動体通信端末１００によって視聴可能なテレビ放送チャンネルを示したリストである。チャンネルリスト格納領域１７３に格納される情報の例を図２（ｃ）に示す。図示するように、チャンネルリスト格納領域１７３には、チャンネル番号をキーとしたレコードが作成され、各レコードには、当該チャンネルの周波数を示す情報、当該チャンネルの放送データに多重化されている付加情報、などが格納される。移動体通信端末１００のテレビ放送受信機能は、チャンネルリスト格納領域１７３に格納されたチャンネルリストに基づいた選局動作をおこなう。
【００３４】
プログラム格納領域１７４は、制御部１１０が実行するプログラムを格納するための領域である。プログラム格納領域１７４には、移動体通信端末１００全体の動作を制御するための基本ソフトウェア（いわゆる、ＯＳなど）や、移動体通信端末１００の種々の機能を実現するためのアプリケーションソフトウェアなどが格納される。
【００３５】
本実施形態では、制御部１１０がプログラム格納領域１７４に格納されているプログラムを実行することで本実施形態にかかる各処理（詳細後述）を実行する。このときに制御部１１０によって実現される機能構成を図３に示す。図３は、制御部１１０によって実現される機能構成を示す機能ブロック図である。
【００３６】
図示するように、制御部１１０は、放送受信制御部１１１、チャンネルリスト作成部１１２、移動速度判別部１１３、などとして機能する。
【００３７】
放送受信制御部１１１は、無線通信部１２０、操作部１３０、表示部１４０、テレビ放送受信部１６０、記憶部１７０などと協働し、操作部１３０からの入力に応じてテレビ放送受信部１６０を制御することで、テレビ放送受信機能にかかる動作を実行する。この場合において、チャンネルリスト格納領域１７３に格納されているチャンネルリストに基づいて、テレビ放送受信機能における選局動作などをおこなう。また、無線通信部１２０がハンドオフをおこなった際、切替後の基地局から無線通信部１２０が受信した位置情報などを、放送受信制御部１１１が基地局情報格納領域１７１に格納する。
【００３８】
チャンネルリスト作成部１１２は、無線通信部１２０や記憶部１７０などと協働し、チャンネル情報格納領域１７２に格納されているチャンネル情報に基づいてチャンネルリストを作成してチャンネルリスト格納領域１７３に格納する。本実施形態では、チャンネルリストを作成する際に、移動速度判別部１１３に移動体通信端末１００の移動速度が所定の速度を超えているかを判別させ（詳細後述）、この判別内容に応じて、チャンネルリストの作成方法を異ならせる（詳細後述）。また、チャンネルリスト作成部１１２は、無線通信部１２０によってハンドオフがおこなわれた時にチャンネルリストの作成をおこなう。このとき、無線通信部１２０を制御することで、基地局にチャンネル情報の提供を要求するとともに、提供されたチャンネル情報をチャンネル情報格納領域１７２に格納する。
【００３９】
移動速度判別部１１３は、記憶部１７０などと協働し、基地局情報格納領域１７１に格納されている基地局の切替履歴に基づいて、移動体通信端末１００の移動速度が所定の速度を超えているかを判別する。本実施形態では、所定時間内における切替頻度と所定の閾値とを比較することで、移動体通信端末１００の移動体通信端末速度が所定の速度を超えているかを判別する。すなわち、一定時間内における切替頻度が多いほど、移動体通信端末１００がより高速に移動していることになるため、切替頻度が所定値以上であれば所定の速度を超えていると判別し、切替頻度が所定値より低ければ所定の速度を超えていないと判別する。この閾値は、例えば、テレビ放送の受信電力が著しく変化してしまう移動体通信端末１００の移動速度に基づいて定められるものとする。
【００４０】
本実施形態では、制御部１１０がプログラムを実行することによって、上記機能構成が論理的に実現されるものとするが、これらの機能を、例えば、ＡＳＩＣ（Application Specific Integrated Circuit：特定用途向け集積回路）などの物理的な構成によって実現してもよい。
【００４１】
なお、上記各構成は、移動体通信端末１００によって本発明を実現するために必要な主要な構成であり、移動体通信端末として必要なその他の構成については、必要に応じて備えられているものとする。
【００４２】
以上のような構成を有する移動体通信端末１００の動作を以下説明する。まず、テレビ放送受信機能の実行時に必要となるチャンネルリストを作成するための「チャンネルリスト作成処理（１）」を、図４に示すフローチャートを参照して説明する。このチャンネルリスト作成処理（１）は、ハンドオフにより基地局が切り替わったことを契機に開始されるものとする。より詳細には、複数の基地局と通信可能である場合に、例えば、着信を待ち受ける基地局を無線通信部１２０が切り替え、或いは、現在通信している基地局よりも通信強度が高い基地局との通信に無線通信部１２０が切り替えることで、ハンドオフがおこなわれ、その履歴情報が基地局情報格納領域１７１に格納されたことを契機に処理が開始される。
【００４３】
処理が開始されると、チャンネルリスト作成部１１２は、無線通信部１２０を制御し、ハンドオフによって切り替えられた基地局に対し、当該基地局が保持しているチャンネル情報の提供を要求する（ステップＳ１０１）。この場合、チャンネル情報の提供を要求する所定のコマンドを無線通信部１２０が基地局に送信することで、チャンネル情報の提供を基地局に要求する。
【００４４】
要求に応じて基地局からチャンネル情報が送信されると、無線通信部１２０によって受信され制御部１１０に入力される（ステップＳ１０２）。チャンネルリスト作成部１１２は、受信したチャンネル情報をチャンネル情報格納領域１７２に格納する（ステップＳ１０３）。
【００４５】
次にチャンネルリスト作成部１１２は、移動速度判別部１１３に現在の移動速度を判別するよう指示する。移動速度判別部１１３は、チャンネルリスト作成部１１２からの指示に応じて、移動体通信端末１００の移動速度を判別するための「移動速度判別処理」を実行する（ステップＳ２００）。この移動速度判別処理を、図５に示すフローチャートを参照して説明する。
【００４６】
処理が開始されると、移動速度判別部１１３は、基地局情報格納領域１７１にアクセスし、基地局履歴情報を取得する（ステップＳ２０１）。
【００４７】
移動速度判別部１１３は、取得した基地局履歴情報に基づいて、単位時間当たりの基地局の切替頻度を計数する（ステップＳ２０２）。ここでは、基地局履歴情報が示す切替日時に基づいて、直近の切替履歴から遡りながら、所定の単位時間当たりに何回基地局が切り替えられたかを計数することで、切替頻度を求める。
【００４８】
切替頻度を求めると、移動速度判別部１１３は、所定の閾値と比較し（ステップＳ２０３）、切替頻度が閾値以上であれば（ステップＳ２０４：Ｙｅｓ）、現在の移動体通信端末１００の移動速度が所定の速度を超えている「高速レベル」と判別し（ステップＳ２０５）、閾値より低ければ（ステップＳ２０４：Ｎｏ）、移動速度が所定の速度を超えていない「低速レベル」であると判別する（ステップＳ２０６）。
【００４９】
移動速度判別部１１３は、ステップＳ２０５或いはステップＳ２０６の判別内容をチャンネルリスト作成部１１２に通知して（ステップＳ２０７）、図４に示すチャンネルリスト作成処理（１）のフローに戻る。
【００５０】
チャンネルリスト作成処理（１）では、チャンネルリスト作成部１１２がチャンネルリスト格納領域１７３にアクセスし、既に格納されているチャンネルリストの内容をクリアする（ステップＳ１０４）。
【００５１】
次に、チャンネルリスト作成部１１２は、チャンネル情報格納領域１７２にアクセスし、チャンネル情報受信日時に基づいて、現在時刻から所定時間内に取得された複数のチャンネル情報を取得する（ステップＳ１０５）。ここでは、ハンドオフの都度チャンネル情報を取得しているので、複数の基地局から受信したチャンネル情報を取得することになる。
【００５２】
次に、上述した移動速度判別処理において判別された移動速度が「高速レベル」である場合（ステップＳ１０６：Ｙｅｓ）、チャンネルリスト作成部１１２は、ステップＳ１０５で取得した複数のチャンネル情報に重複して示されているチャンネルに対し、順次チャンネル検索を実行する（ステップＳ１０７）。
【００５３】
ここでは、チャンネルリスト作成部１１２が、複数のチャンネル情報に重複しているチャンネルから、例えば、チャンネル番号順に順次選択し、選択したチャンネルの放送受信を、放送受信制御部１１１よりテレビ放送受信部１６０に指示する。より詳細には、当該チャンネルの周波数を、放送受信制御部１１１よりテレビ放送受信部１６０に通知して、当該チャンネルの受信動作を実行させる。そして、リトライを含む所定回数の受信試行を各チャンネルでおこない、これによって受信に成功したチャンネルと、受信を失敗したチャンネルとを峻別する。ここで、受信成功したチャンネルについては、当該チャンネルの放送データに多重化されている付加情報（例えば、ＰＳＩ（Program Specific Information：番組特定情報）など）が取得される。
【００５４】
チャンネルリスト作成部１１２は、このような受信試行（チャンネル検索）の過程において、受信に成功したチャンネルについてのチャンネル情報と取得した付加情報とを、チャンネルリスト格納領域１７３のチャンネルリストに順次追加することで、現時点で視聴可能なチャンネルで構成されたチャンネルリストを作成して（ステップＳ１０８）、処理を終了する。
【００５５】
一方、判別された移動速度が「低速レベル」である場合（ステップＳ１０６：Ｎｏ）、チャンネルリスト作成部１１２は、ステップＳ１０５で取得した複数のチャンネル情報に示されているすべてのチャンネルに対し、順次チャンネル検索を実行する（ステップＳ１０９）。
【００５６】
ここでは、「高速レベル」の場合と同様に、チャンネルリスト作成部１１２が、複数のチャンネル情報に示されているすべてのチャンネルを順次選択し、放送受信制御部１１１を通して指示されたテレビ放送受信部１６０が、選択されたチャンネル受信試行を複数回おこなって、受信に成功したチャンネルと、受信を失敗したチャンネルとを峻別する。この場合も、受信成功したチャンネルについては、ＰＳＩなどの付加情報を取得する。
【００５７】
チャンネルリスト作成部１１２は、受信に成功したチャンネルについてのチャンネル情報と付加情報とを、チャンネルリスト格納領域１７３のチャンネルリストに順次追加することで、現時点で視聴可能なチャンネルで構成されたチャンネルリストを作成して（ステップＳ１０８）、処理を終了する。
【００５８】
このような処理により、移動体通信端末１００が高速移動している場合は、複数の基地局から得られたチャンネル情報に重複しているチャンネルについてチャンネル検索をおこない、受信が成功したチャンネルのチャンネル情報から構成されたチャンネルリストが作成され、移動体通信端末１００が低速移動している場合（移動していない場合を含む）は、複数の基地局から得られたチャンネル情報に示されているすべてのチャンネルについてチャンネル検索をおこない、受信が成功したチャンネルのチャンネル情報から構成されたチャンネルリストが作成される。
【００５９】
次に、このようにして作成されたチャンネルリストを用いてテレビ放送を受信する「テレビ放送受信処理」を、図６に示すフローチャートを参照して説明する。このテレビ放送受信処理は、ユーザが操作部１３０を操作することにより、移動体通信端末１００のテレビ放送受信機能が起動されたことを契機に開始されるものとする。
【００６０】
処理が開始されると、放送受信制御部１１１は、チャンネルリスト格納領域１７３にアクセスし、格納されているチャンネルリストを取得する（ステップＳ３０１）。
【００６１】
チャンネルリストに記録されている付加情報には、例えば、各チャンネルを選局するために予めアサインされている番号キーを示す情報や放送局名を示す情報などが含まれている。放送受信制御部１１１は、ステップＳ３０１で取得したチャンネルリストに基づいて、現在視聴可能なテレビ放送の選局表を作成し、表示部１４０に表示する（ステップＳ３０２）。この選局表の表示例を図７に示す。図示するように、選局表には、操作部１３０に含まれている数字キーに対応する放送局名情報などが一覧表示されている。ユーザは、視聴を所望する放送局に対応する操作部１３０を操作することで選局する。
【００６２】
選局による操作部１３０の操作があると（ステップＳ３０３：Ｙｅｓ）、放送受信制御部１１１は、ステップＳ３０１で取得したチャンネルリストから、操作された操作部１３０の数字キーに対応しているチャンネルの周波数をテレビ放送受信部１６０に通知し、選局動作を実行させる（ステップＳ３０４）。ここでは、予め取得したチャンネルリストを用いることで、ユーザ操作に応じた迅速な選局動作がおこなわれる。
【００６３】
このような動作を、テレビ放送受信機能の終了指示（ユーザ操作による終了指示やバッテリ残量に基づく割込など）があるまで実行することで（ステップＳ３０５：Ｎｏ）、テレビ放送受信機能によるテレビ放送受信が続けられる。また、終了指示があれば（ステップＳ３０５：Ｙｅｓ）、放送受信制御部１１１は、テレビ放送受信部１６０によるテレビ放送受信動作を停止させるなどにより、処理を終了する。
【００６４】
以上説明したように、本発明を上記実施形態の如く適用することで、移動体通信端末１００の移動速度に応じてチャンネルリストの作成を最適化させているので、正確なチャンネルリストを効率的に作成することができる。つまり、受信電力が著しく変化する高速移動時には、複数の基地局から得られたチャンネル情報に重複しているチャンネルは受信可能性が高いため、このような重複チャンネルに基づいてチャンネルリストを作成することで、周囲の地形や建物の影響が少ない正確なチャンネルリストを作成することができる。また、重複しているチャンネルに対してのみチャンネル検索をおこなうので、効率的にチャンネルリストを作成することができる。
【００６５】
（実施形態２）
上記実施形態１では、移動体通信端末の移動速度に応じてチャンネルリストの作成を最適化させたが、放送エリアに対する移動体通信端末の位置に応じて最適化させてもよい。この場合を以下実施形態２として説明する。
【００６６】
本実施形態にかかる移動体通信端末のハードウェア構成は実施形態１にかかる移動体通信端末１００と同様である。よって、本実施形態にかかる移動体通信端末も移動体通信端末１００とする。なお、記憶部１７０に格納される情報および制御部１１０によって実現される機能構成などが実施形態１の場合と異なる。よって、実施形態１の移動体通信端末１００と相違する部分について以下説明する。
【００６７】
まず、記憶部１７０に格納される情報が異なるので、記憶部１７０に構成される記憶領域が実施形態１とは異なる。すなわち、図８に示すように、本実施形態にかかる移動体通信端末１００の記憶部１７０には、実施形態１の記憶部１７０に構成されている各記憶領域に加え、放送エリア情報を格納するための放送エリア情報格納領域１７５が構成されている。
【００６８】
放送エリア情報格納領域１７５に格納される情報の例を図９に示す。図示するように、放送エリア情報格納領域１７５には、予め規定されている放送エリア毎に一意に割り当てられている放送エリアＩＤをキーとしたレコードが作成されており、各レコードには、当該放送エリアで放送されているチャンネルを示すチャンネル情報、当該放送エリアの中心を示す複数の位置情報、当該放送エリアの半径を示す範囲情報、などが放送エリア毎に記録される。本実施形態では、位置情報として緯度・経度情報が記録されるものとする。また、チャンネル情報として、チャンネル番号と周波数を示す情報が記録される。
【００６９】
次に、プログラム格納領域１７４に格納されているプログラムを制御部１１０が実行することにより実現される機能構成を図１０に示す。本実施形態では、図示するように、実施形態１における移動速度判別部１１３に代えて、位置判別部１１４が構成される。
【００７０】
位置判別部１１４は、記憶部１７０などとの協働により、放送エリアに対する移動体通信端末１００の位置を判別する。ここで、本実施形態では、基地局が発信する位置情報として、当該基地局が所在する場所の緯度・経度情報が発信されているものとし、基地局情報格納領域１７１の位置情報には、該当する基地局の緯度・経度情報が記録されているものとする。この場合、直近に取得した基地局の位置情報を移動体通信端末１００の位置情報とする。よって、位置判別部１１４は、このように特定される移動体通信端末１００の現在位置と、放送エリア情報格納領域１７５に格納されている放送エリアの位置情報とに基づいて、放送エリアに対する移動体通信端末１００の位置を判別する。本実施形態では、移動体通信端末１００が、放送エリアの外縁部付近に位置している否かを判別するものとする。
【００７１】
上記実施形態１の場合と同様、位置判別部１１４は、制御部１１０がプログラムを実行することで実現されるが、ＡＳＩＣなどのハードウェアによって構成されてもよい。
【００７２】
以上のような構成を有する移動体通信端末１００の動作を以下説明する。まず、本実施形態にかかる「チャンネルリスト作成処理（２）」を、図１１に示すフローチャートを参照して説明する。このチャンネルリスト作成処理（２）は、実施形態１におけるチャンネルリスト作成処理（１）と同様、移動体通信端末１００の移動に伴うハンドオフにより基地局が切り替わったことを契機に開始されるものとする。
【００７３】
処理が開始されると、チャンネルリスト作成部１１２は、実施形態１のチャンネルリスト作成処理（１）の場合と同様に、無線通信部１２０を制御し、ハンドオフによって切り替えられた基地局に対し、当該基地局が保持しているチャンネル情報の提供を要求する（ステップＳ４０１）。要求に応じて基地局から送信されたチャンネル情報は、チャンネルリスト作成部１１２によってチャンネル情報格納領域１７２に格納される（ステップＳ４０２）。
【００７４】
次にチャンネルリスト作成部１１２は、位置判別部１１４に、移動体通信端末１００の現在位置が、放送エリアの周辺部付近であるか否かを判別するよう指示する。位置判別部１１４は、チャンネルリスト作成部１１２からの指示に応じて、放送エリアに対する移動体通信端末１００の位置を判別するための「位置判別処理」を実行する（ステップＳ５００）。この位置判別処理を、図１２に示すフローチャートを参照して説明する。
【００７５】
処理が開始されると、位置判別部１１４は、基地局情報格納領域１７１にアクセスし、直近のハンドオフで切り替わった基地局の位置情報を取得することで、移動体通信端末１００の現在位置を特定する（ステップＳ５０１）。
【００７６】
次に位置判別部１１４は、チャンネル情報格納領域１７２にアクセスし、現在通信している基地局から取得したチャンネル情報を取得する（ステップＳ５０２）。そして、放送エリア情報格納領域１７５にアクセスし、取得したチャンネル情報に含まれているチャンネルが放送されている放送エリアの放送エリア情報を取得する（ステップＳ５０３）。
【００７７】
位置判別部１１４は、ステップＳ５０３で取得した放送エリア情報に含まれている放送エリアの中心位置を示す位置情報と、ステップＳ５０１で特定した移動体通信端末１００の現在位置とに基づいて、放送エリアの中心と移動体通信端末１００との距離を算出する（ステップＳ５０４）。
【００７８】
次に位置判別部１１４は、ステップＳ５０３で取得した放送エリア情報に含まれている範囲情報に対する、ステップＳ５０４で算出した距離の比を算出する。ここでは、算出した距離を範囲情報に示される半径で除することで、放送エリア半径に対する、中心から移動体通信端末１００までの距離の比を求める（ステップＳ５０５）。
【００７９】
位置判別部１１４は、ステップＳ５０５で求めた比が、所定の閾値（例えば、０．８など）以上である場合（ステップＳ５０６：Ｙｅｓ）、放送エリアの外縁部付近に移動体通信端末１００が位置していると判別する（ステップＳ５０７）。
【００８０】
一方、ステップＳ５０５で求めた比が、所定の閾値未満である場合（ステップＳ５０６：Ｎｏ）、移動体通信端末１００の位置は放送エリアの外縁部付近ではないと判別する（ステップＳ５０８）。
【００８１】
位置判別部１１４は、判別内容をチャンネルリスト作成部１１２に通知して（ステップＳ５０９）、図１１に示すチャンネルリスト作成処理（２）のフローに戻る。
【００８２】
チャンネルリスト作成処理（２）では、チャンネルリスト作成部１１２がチャンネルリスト格納領域１７３にアクセスし、既に格納されているチャンネルリストの内容をクリアする（ステップＳ４０３）。
【００８３】
次に、チャンネルリスト作成部１１２は、チャンネル情報格納領域１７２にアクセスし、チャンネル情報受信日時に基づいて、現在時刻から所定時間内に取得された複数のチャンネル情報を取得する（ステップＳ４０４）。ここでは、ハンドオフの都度チャンネル情報を取得しているので、複数の基地局から受信したチャンネル情報を取得することになる。
【００８４】
次に、上述した位置判別処理において判別された移動体通信端末１００の位置が放送エリアの外縁部付近である場合（ステップＳ４０５：Ｙｅｓ）、チャンネルリスト作成部１１２は、ステップＳ４０４で取得した複数のチャンネル情報に重複して示されているチャンネルに対し、順次チャンネル検索を実行する（ステップＳ４０６）。
【００８５】
ここでは、実施形態１の場合と同様にチャンネルリスト作成部１１２が、複数のチャンネル情報に示されているすべてのチャンネルを順次選択し、テレビ放送受信部１６０が、選択されたチャンネル受信試行を複数回おこなって、受信に成功したチャンネルと、受信を失敗したチャンネルとを峻別する。この場合も、受信成功したチャンネルについては、ＰＳＩなどの付加情報を取得する。
【００８６】
チャンネルリスト作成部１１２は、このような受信試行（チャンネル検索）の過程において、受信に成功したチャンネルについてのチャンネル情報と取得した付加情報とを、チャンネルリスト格納領域１７３のチャンネルリストに順次追加することで、現時点で視聴可能なチャンネルで構成されたチャンネルリストを作成して（ステップＳ４０７）、処理を終了する。
【００８７】
一方、判別された移動体通信端末１００の位置が放送エリアの外縁部付近ではない場合（ステップＳ４０５：Ｎｏ）、チャンネルリスト作成部１１２は、ステップＳ４０４で取得した複数のチャンネル情報に示されているすべてのチャンネルに対し、順次チャンネル検索を実行する（ステップＳ４０８）。
【００８８】
ここでは、外縁部付近の場合と同様に、チャンネルリスト作成部１１２が、複数のチャンネル情報に示されているすべてのチャンネルを順次選択し、テレビ放送受信部１６０が、選択されたチャンネル受信試行を複数回おこなって、受信に成功したチャンネルと、受信を失敗したチャンネルとを峻別する。この場合も、受信成功したチャンネルについては、ＰＳＩなどの付加情報を取得する。
【００８９】
チャンネルリスト作成部１１２は、受信に成功したチャンネルについてのチャンネル情報と付加情報とを、チャンネルリスト格納領域１７３のチャンネルリストに順次追加することで、現時点で視聴可能なチャンネルで構成されたチャンネルリストを作成して（ステップＳ４０７）、処理を終了する。
【００９０】
このような処理により、移動体通信端末１００が放送エリアの外縁部付近に位置している場合は、複数の基地局から得られたチャンネル情報に重複しているチャンネルについてチャンネル検索をおこない、受信が成功したチャンネルのチャンネル情報から構成されたチャンネルリストが作成され、移動体通信端末１００が放送エリアの外縁部付近よりも中心に近い場所に位置している場合は、複数の基地局から得られたチャンネル情報に示されているすべてのチャンネルについてチャンネル検索をおこない、受信が成功したチャンネルのチャンネル情報から構成されたチャンネルリストが作成される。
【００９１】
本実施形態では、上述のチャンネルリスト作成処理（２）によって作成されたチャンネルリストを用いて、テレビ放送受信機能実行時の選局動作がおこなわれる。この場合の処理は、実施形態１におけるテレビ放送受信処理（図６）と同様である。
【００９２】
以上説明したように、本発明を上記実施形態の如く適用することで、移動体通信端末１００の位置に応じてチャンネルリストの作成を最適化させているので、正確なチャンネルリストを効率的に作成することができる。つまり、受信電力が著しく変化する放送エリアの外縁部付近に位置しているときには、複数の基地局から得られたチャンネル情報に重複しているチャンネルは受信可能性が高いため、このような重複チャンネルに基づいてチャンネルリストを作成することで、安定して受信できるチャンネルを含んだ正確なチャンネルリストを作成することができる。また、重複しているチャンネルに対してのみチャンネル検索をおこなうので、効率的にチャンネルリストを作成することができる。
【００９３】
上記実施形態は一例であり、本発明の適用範囲はこれに限られない。すなわち、種々の応用が可能であり、あらゆる実施の形態が本発明の範囲に含まれる。
【００９４】
例えば、上記実施形態では、移動速度に基づく場合と放送エリアに対する位置に基づく場合とを別の実施形態として説明したが、同一の移動体通信端末において双方の概念に基づく処理をおこなってもよい。この場合、例えば、まず移動速度の判別をおこない、移動速度が所定の速度を超えていないと判別された場合に、放送エリアに対する位置に基づいたチャンネルリスト作成をおこなうように動作してもよい。
【００９５】
上記実施形態１では、基地局の切替頻度に基づいて移動速度を判別したが、移動体通信端末の移動速度を判別できるのであれば、判別方法は任意である。例えば、ＧＰＳ計測システムを備えた移動体通信端末であれば、当該ＧＰＳ計測システムによる位置計測結果から移動速度を判別してもよい。
【００９６】
上記実施形態２では、基地局および放送エリアの中心を示す緯度・経度に基づいて、放送エリアに対する移動体通信端末の位置を判別したが、放送エリアに対する移動体通信端末の位置が判別できるのであれば、判別方法は任意である。例えば、ＧＰＳ計測システムを備えた移動体通信端末であれば、当該ＧＰＳ計測システムによる位置計測結果から放送エリアに対する移動体通信端末の位置を判別してもよい。あるいは、周辺の複数の基地局から受信した無線チャンネルの伝播遅延などに基づいて位置情報を取得するようにしてもよい。また、放送エリア情報は、移動体通信端末１００が予め保持していなくてもよく、例えば、基地局や、移動通信網に接続された外部装置などといった外部から随時取得するものであってもよい。
【００９７】
なお、上述した移動体通信端末１００のように、本発明を実現するための機能を予め備えている移動体通信端末として提供できることはもとより、これらの機能を備えていない既存の移動体通信端末にプログラムを適用することで、本発明にかかる移動体通信端末として機能させることもできる。この場合、少なくとも、テレビ放送受信機能を有している移動体通信端末に、上述した移動体通信端末１００の各処理を実行させるためのプログラムを適用し、当該移動体通信端末を制御するコンピュータ（ＣＰＵなど）がそのプログラムを実行することで、本発明にかかる端末装置として機能させることができる。
【００９８】
このようなプログラムの適用方法は任意であり、例えば、インターネットなどの通信媒体を介して提供することで任意の移動体通信端末に適用できる他、所定の記録媒体（例えば、メモリカードなど）にプログラムを格納して配布することでも適用可能である。
【図面の簡単な説明】
【００９９】
【図１】本発明の実施形態１にかかる移動体通信端末の構成を示す図である。
【図２】図１に示す記憶部に格納される情報の例を示す図であり、（ａ）は基地局情報格納領域に格納される情報の例を示し、（ｂ）はチャンネル情報格納領域に格納される情報の例を示し、（ｃ）はチャンネルリスト格納領域に格納される情報の例を示す。
【図３】図１に示す制御部によって実現される実施形態１にかかる機能構成を示す機能ブロック図である。
【図４】本発明の実施形態１にかかる「チャンネルリスト作成処理（１）」を説明するためのフローチャートである。
【図５】図４に示すチャンネルリスト作成処理（１）で実行される「移動速度判別処理」を説明するためのフローチャートである。
【図６】本発明の実施形態にかかる「テレビ放送受信処理」を説明するためのフローチャートである。
【図７】図６に示すテレビ放送受信処理において表示される「選局表」の表示例を示す図である。
【図８】本発明の実施形態２にかかる移動体通信端末の構成を示す図である。
【図９】図８に示す放送エリア情報格納領域に格納される情報の例を示す図である。
【図１０】図８に示す制御部によって実現される実施形態２にかかる機能構成を示す機能ブロック図である。
【図１１】本発明の実施形態２にかかる「チャンネルリスト作成処理（２）」を説明するためのフローチャートである。
【図１２】図１１に示すチャンネルリスト作成処理（２）で実行される「位置判別処理」を説明するためのフローチャートである。
【符号の説明】
【０１００】
１００…移動体通信端末、１１０…制御部、１１１…放送受信制御部、１１２…チャンネルリスト作成部、１１３…移動速度判別部、１１４…位置判別部、１２０…無線通信部、１２１…アンテナ、１３０…操作部、１４０…表示部、１５０…音声処理部、１５１…マイクロフォン、１５２…スピーカ、１６０…テレビ放送受信部、１６１…アンテナ、１７０…記憶部、１７１…基地局情報格納領域、１７２…チャンネル情報格納領域、１７３…チャンネルリスト格納領域、１７４…プログラム格納領域、１７５…放送エリア情報格納領域
【図１】
2007221476.tif 000003
【図２】
2007221476.tif 000004
【図３】
2007221476.tif 000005
【図４】
2007221476.tif 000006
【図５】
2007221476.tif 000007
【図６】
2007221476.tif 000008
【図７】
2007221476.tif 000009
【図８】
2007221476.tif 000010
【図９】
2007221476.tif 000011
【図１０】
2007221476.tif 000012
【図１１】
2007221476.tif 000013
【図１２】
2007221476.tif 000014